(57)【要約】      （修正有）【課題】電子機器の冷却用ヒートパイプ端部に嵌合する放熱片の脱落を防止した放熱器を提供する。【解決手段】放熱片１０、ヒートパイプ２０および保護機構３０からなり、放熱片１０には、ヒートパイプに対応する位置に穿孔１１１がそれぞれ設けられ、該穿孔１１１の周縁から立ち上がるスぺーサーリング１１が設けられている。複数の放熱片１０は、スぺーサーリング１１により相互に積み重ねられ、ヒートパイプ２０は、穿孔１１１内に挿設されて末端がスぺーサーリング１１から外部に露出している。保護機構３０は、キャップ３２および押さえ板３１からなり、キャップ３２は、スぺーサーリング１１に嵌合され、ヒートパイプ２０の末端を覆い、また、押さえ板３１は、放熱片１０上に重ねられて放熱片を固定する。【選択図】図２
0003149404.tif 000002
【実用新案登録請求の範囲】
【請求項１】
ヒートパイプに対応する位置に穿孔がそれぞれ設けられ、前記穿孔の周縁から立ち上がるスぺーサーリングが設けられ、前記スぺーサーリングにより相互に積み重ねられている複数の放熱片と、
前記穿孔内に挿設され、末端が前記スぺーサーリングから外部に露出しているヒートパイプと、
前記スぺーサーリングに嵌合され、前記ヒートパイプの末端を覆っているキャップ、および前記放熱片上に重ねられ、前記キャップに挿設される通孔を設け、前記スぺーサーリングとともに前記キャップを挾持固定している押さえ板を有する保護機構と、
を備えることを特徴とする保護機構を有する放熱器。
【請求項２】
前記キャップと前記スぺーサーリングと前記押さえ板との間にはそれぞれ接着剤が塗布されていることを特徴とする請求項１に記載の保護機構を有する放熱器。
【請求項３】
前記キャップ、前記複数のスぺーサーリングおよび前記ヒートパイプにより真空チャンバが形成され、前記真空チャンバに導熱媒体が充填されていることを特徴とする請求項１に記載の保護機構を有する放熱器。
【請求項４】
ヒートパイプに対応する位置に穿孔がそれぞれ設けられ、前記穿孔の周縁から立ち上がるスぺーサーリングが設けられ、前記スぺーサーリングにより相互に積み重ねられている複数の放熱片と、
前記穿孔内に挿設され、末端が前記スぺーサーリングから外部に露出しているヒートパイプと、
前記放熱片上に重ねられ、前記スぺーサーリングに挿設される通孔を設け、前記スぺーサーリングに嵌合している押さえ板、および前記スぺーサーリングに嵌合し、かつ前記押さえ板の頂端に接触し、同時に前記ヒートパイプの末端を覆っているキャップを有する保護機構と、
を備えることを特徴とする保護機構を有する放熱器。
【請求項５】
前記キャップと前記スぺーサーリングとの間、前記キャップと前記押さえ板との間、および前記押さえ板と前記スぺーサーリングとの間にそれぞれ接着剤が塗布されていることを特徴とする請求項４に記載の保護機構を有する放熱器。
【請求項６】
前記キャップ、前記複数のスぺーサーリングおよび前記ヒートパイプにより真空チャンバが形成され、前記真空チャンバに導熱媒体が充填されていることを特徴とする請求項４に記載の保護機構を有する放熱器。
【考案の詳細な説明】
【技術分野】
【０００１】
本考案は、放熱器に関し、特に、保護機構を有する放熱器に関する。
【背景技術】
【０００２】
以下、従来技術を図面に基づいて説明する。図１を参照する。図１は、従来の放熱器を示す断面図である。図１に示すように、従来の放熱器１ａは、複数の放熱片１０ａ、ヒートパイプ２０ａおよび導熱座３０ａを含む。放熱片１０ａには、内縁に穿孔１１１ａを有するスぺーサーリング１１ａが一体成型されている。複数の放熱片１０ａは、スぺーサーリング１１ａにより相互に積み重ねられている。
【０００３】
ヒートパイプ２０ａは、穿孔１１１ａ内に挿設され、末端がスぺーサーリング１１ａから外部に露出している。導熱座３０ａは、ヒートパイプ２０ａを嵌合させるために、放熱片１０ａの底部に配置されている。
【０００４】
上記の従来の放熱器には、使用において問題点が存在した。ヒートパイプ２０ａの末端の周縁サイズが小さくて、スぺーサーリング１１ａと緊密に接触することができないため、この部分の放熱片１０ａが使用時および運送時における振動により外れてしまい、正常に使用できないことがあった。そのため、この問題点をいかに改善するかが大きな課題であった。
【先行技術文献】
【特許文献】
【０００５】
【特許文献１】特開平０５−２７５５８５号公報
【特許文献２】特開平１０−１２６０７６号公報
【考案の概要】
【考案が解決しようとする課題】
【０００６】
本考案の第１の目的は、放熱器頂端の放熱片が保護機構に押さえられて固定されることにより、放熱片が外れにくい保護機構を有する放熱器を提供することにある。
本考案の第２の目的は、保護機構によりヒートパイプが衝撃を受けて破損するのを防ぐ保護機構を有する放熱器を提供することにある。
【０００７】
上述の目的を達成するため、本考案は、保護機構を有する放熱器を提供する。本考案の保護機構を有する放熱器は、放熱片、ヒートパイプおよび保護機構からなる。放熱片には、相互に対応する穿孔がそれぞれ設けられている。また、放熱片の穿孔の周縁から延伸するスぺーサーリングが設けられている。複数の放熱片は、スぺーサーリングにより相互に積み重ねられている。ヒートパイプは、穿孔内に挿設され、末端がスぺーサーリングから外部に露出している。保護機構は、キャップおよび押さえ板からなる。キャップは、スぺーサーリングに嵌合され、ヒートパイプの末端を覆っている。押さえ板は、放熱片上に重ねられている。また、押さえ板は、キャップに挿設される通孔を設けている。キャップは、押さえ板およびスぺーサーリングにより挾持され、固定されている。
【考案の効果】
【０００８】
本考案の多保護機構を有する放熱器は、保護機構のキャップおよび押さえ板により放熱片がヒートパイプから外れるのを防ぐことができる。また、保護機構によりヒートパイプが衝撃を受けて破損するのを防ぐことができる。キャップとスぺーサーリングと押さえ板との間の相互に接触する面は、接着剤が塗布されているため、結合が強化することができる。保護機構が放熱片に装着されると、キャップ、スぺーサーリングおよびヒートパイプに囲まれるように真空チャンバが形成され、真空チャンバに熱伝導性の良好な導熱媒体が充填されると導熱効率を増加させることができる。
【図面の簡単な説明】
【０００９】
【図１】従来の放熱器を示す断面図である。
【図２】本考案の実施形態による保護機構を有する放熱器を示す分解斜視図である。
【図３】本考案の実施形態による保護機構を有する放熱器を示す斜視図である。
【図４】図３の４−４面を示す断面図である。
【図５】図４のＡ部分を示す局部拡大図である。
【図６】本考案のもう１つの実施形態を示す局部拡大図である。
【考案を実施するための形態】
【００１０】
以下、本考案の実施形態を図面に基づいて説明する。図２および３を参照する。図２は、本考案の実施形態による保護機構を有する放熱器を示す分解斜視図である。図３は、本考案の実施形態による保護機構を有する放熱器を示す斜視図である。図２および３に示すように、本考案の保護機構を有する放熱器１は、放熱片１０、ヒートパイプ２０および保護機構３０を具える。
【００１１】
放熱片１０には、相互に対応する穿孔１１１がそれぞれ設けられている。また、放熱片１０の穿孔１１１の周縁から延伸するスぺーサーリング１１が設けられている。複数の放熱片１０は、スぺーサーリング１１により相互に積み重ねられている。要するに、下方に位置する放熱片１０のスぺーサーリング１１の頂端が上方に位置する放熱片１０の底端に接触している。放熱片１０は、銅、アルミニウムなどの熱伝導性の良好な金属材料からなる。
【００１２】
ヒートパイプ２０は、穿孔１１１内に挿設され、末端がスぺーサーリング１１から外部に露出している。詳細に説明すると、下から上の順序で各放熱片１０の穿孔１１１内に挿設されている。ヒートパイプ２０の末端の周縁は、サイズが小さくて、スぺーサーリング１１と緊密に接触することができない。
【００１３】
ヒートパイプ２０の製作方法について説明する。まず、一方の端部に開口部を有する管体の内壁に毛細構造を設ける。次に、開口部から空気を抽出して真空にし、作動流体を充填する。最後に、半田づけにより開口部を封止する。真空であるため、ヒートパイプ２０の末端は、テーパー状で、周縁サイズが小さい。そのため、スぺーサーリング１１と緊密に接触することができない。
【００１４】
保護機構３０は、キャップ３２および押さえ板３１からなる。キャップ３２は、スぺーサーリング１１に嵌合され、ヒートパイプ２０の末端を覆っている。押さえ板３１は、放熱片１０上に重ねられている。また、押さえ板３１は、キャップ３２に挿設される通孔３１１を設けている。キャップ３２は、押さえ板３１およびスぺーサーリング１１により挾持され、固定されている。
【００１５】
押さえ板３１は、厚さが放熱片１０より厚い平板である。押さえ板３１およびキャップ３２は、熱伝導性の良好な金属材料からなる。
【００１６】
本考案の放熱器１は、導熱座４０をさらに具える。導熱座４０は、放熱片１０の下方に配置され、ヒートパイプ２０を嵌合している。
【００１７】
図４および図５を参照する。図４は、図３の４−４面を示す断面図である。図５は、図４のＡ部分を示す局部拡大図である。図４および図５に示すように、放熱片１０、押さえ板３１およびキャップ３２の配置は、一目瞭然である。押さえ板３１は、放熱片１０に圧力をかけ、外れないようにしている。キャップ３２は、放熱片１０のスぺーサーリング１１と押さえ板３１との間をさらに強く固定している。キャップ３２とスぺーサーリング１１と押さえ板３１との間の相互に接触する面は、接着剤Cが塗布され、結合が強化されている。また、保護機構３０が放熱片１０に装着されると、キャップ３２、スぺーサーリング１１およびヒートパイプ２０に囲まれるように真空チャンバｂが形成される。真空チャンバｂに熱伝導性の良好な導熱媒体ｄが充填されると導熱効率を増加させることができる。
【００１８】
図６を参照する。図６は、本考案のもう１つの実施形態を示す局部拡大図である。図６に示すように、本実施形態において、スぺーサーリング１１の挿設される通孔３１１を設けている押さえ板３１が、放熱片１０上に重ねられている。押さえ板３１は、スぺーサーリング１１に嵌合している。キャップ３２は、スぺーサーリング１１に嵌合し、かつ押さえ板３１の頂端に接触し、同時にヒートパイプ２０の末端を覆っている。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２０】
１  放熱器
１０  放熱片
１１  スぺーサーリング
２０  ヒートパイプ
３０  保護機構
３１  押さえ板
３２  キャップ
４０  導熱座
１１１  穿孔
３１１  通孔
ｂ  真空チャンバ
ｃ  接着剤
ｄ  導熱媒体
【図１】
0003149404.tif 000003
【図２】
0003149404.tif 000004
【図３】
0003149404.tif 000005
【図４】
0003149404.tif 000006
【図５】
0003149404.tif 000007
【図６】
0003149404.tif 000008